(57)【要約】【課題】本発明の課題は、ベースの外形寸法を小さくして装置の小型化を図ることができるレンズ駆動装置を得ることである。【解決手段】本発明のレンズ駆動装置は、略筒状を成すヨーク３と、ヨーク３が装着されるベース５と、レンズを備えるキャリア７と、コイル１０と、マグネット１３とを備えており、ベース５は平面視略四角形状であり、ヨーク３はベース５の内側に位置しており、外側周壁３ａと開口部４の縁４ａが互いに間隔を開けて配置され、ベース５の角部に位置する外側周壁３ａと開口部４の縁４ａとの間隔よりも、複数の円弧状壁部３ｄ、３ｄ間に設けられた上辺、下辺及び両側辺に位置する外側周壁３ａと開口部４の縁４ａとの間隔が狭い。【選択図】図２
2010191478.tif 000002
【特許請求の範囲】
【請求項１】
外周にコイルを配置し、レンズの光軸方向に移動するキャリアと、
平面視による四角形状のベースと、
前記ベースの内側に位置し、前記ベースの角部の位置に形成された平面視による複数の円弧状壁部、直線状の上辺、下辺及び両側辺を有する外側周壁に囲まれ平面視による円形状の開口部の縁を含み、前記外側周壁と前記開口部の縁が互いに間隔を開けて配置され、前記ベースの角部に位置する前記外側周壁と前記開口部の縁との間隔よりも、前記複数の円弧状壁部間に設けられた前記上辺、下辺及び両側辺に位置する前記外側周壁と前記開口部の縁との間隔が狭いヨークと、
前記ヨークの外側周壁と開口部の縁との間で、前記ベースの角部に対応する位置にそれぞれ配置され、前記円弧状壁部の内周側面に配置される平面視による円弧状のマグネットと、
を備えることを特徴とするレンズ駆動装置。
【請求項２】
外周にコイルを配置し、レンズの光軸方向に移動するキャリアと、
平面視による四角形状のベースと、
前記ベースの内側に位置し、前記ベースの角部の位置に形成された平面視による複数の円弧状壁部、直線状の上辺、下辺及び両側辺を有する外側周壁に囲まれ平面視による円形状の開口部の縁を含み、前記外側周壁と前記開口部の縁が互いに間隔を開けて配置され、前記ベースの角部に位置する前記外側周壁と前記開口部の縁との間隔よりも、前記複数の円弧状壁部間に設けられた前記上辺、下辺及び両側辺に位置する前記外側周壁と前記開口部の縁との間隔が狭いヨークと、
前記ヨークの外側周壁と開口部の縁との間で、前記ベースの角部に対応する位置にそれぞれ配置され、前記円弧状壁部の内周側面に配置される少なくとも平面視による底辺及び前記上辺、下辺、両側辺の隣り合う２辺に沿う両斜辺を含むマグネットと、
を備えることを特徴とするレンズ駆動装置。
【請求項３】
外周にコイルを配置し、レンズの光軸方向に移動するキャリアと、
平面視による四角形状のベースと、
前記ベースの内側に位置し、直線状の上辺、下辺及び両側辺を有する外側周壁に囲まれ前記キャリアが移動する平面視による円形状の開口部の縁を含み、前記外側周壁と前記開口部の縁が互いに間隔を開けて配置され、前記ベースの角部に位置する前記外側周壁と前記開口部の縁との間隔よりも、前記上辺、下辺及び両側辺の中央部に位置する前記外側周壁と前記開口部の縁との間隔が狭いヨークと、
前記ヨークの外側周壁と開口部の縁との間で、前記ベースの角部に対応する位置にそれぞれ配置され、少なくとも平面視による底辺及び前記上辺、下辺、両側辺の隣り合う２辺に沿う両斜辺を含むマグネットと、
を備えることを特徴とするレンズ駆動装置。
【請求項４】
前記マグネットが対向する前記開口部の縁に平面視による円弧状の内側壁を設けたことを特徴とする請求項１乃至３のいずれか１項に記載のレンズ駆動装置。
【発明の詳細な説明】
【技術分野】
【０００１】
本発明は、レンズ駆動装置に関する。
【背景技術】
【０００２】
特許文献１には、略筒状を成すヨークと、ヨークが装着されるベースと、レンズを保持するキャリアと、コイルと、マグネットとを備え、コイルに電流を流すことでキャリアがレンズの光軸方向に移動する技術が開示されている。係るレンズ駆動装置ではヨークが内側周壁と外側周壁とを互いに間隔を開けて配置しており、内側周壁と外側周壁との間に周方向にリング状のマグネットを配置している。
【先行技術文献】
【特許文献】
【０００３】
【特許文献１】特開２００４−２８００３１号公報
【発明の概要】
【発明が解決しようとする課題】
【０００４】
しかし、上述の特許文献１に記載の従来技術では、内側周壁と外側周壁との間にリング状のマグネットを配置しているので、周方向の全体に渡って内側周壁と外側周壁との間隔をマグネットの厚み分以上とる必要があり、ベースの外形寸法も大きくなってレンズ駆動装置の小型化を図り難いという問題があった。
【０００５】
本発明は、ベースの外形寸法を小さくして装置の小型化を図ることができるレンズ駆動装置を得ることを目的とする。
【課題を解決するための手段】
【０００６】
本発明のレンズ駆動装置は、外周にコイルを配置し、レンズの光軸方向に移動するキャリアと、平面視による四角形状のベースと、ベースの内側に位置し、ベースの角部の位置に形成された平面視による複数の円弧状壁部、直線状の上辺、下辺及び両側辺を有する外側周壁に囲まれ平面視による円形状の開口部の縁を含み、外側周壁と開口部の縁が互いに間隔を開けて配置され、ベースの角部に位置する外側周壁と開口部の縁との間隔よりも、複数の円弧状壁部間に設けられた上辺、下辺及び両側辺に位置する外側周壁と開口部の縁との間隔が狭いヨークと、ヨークの外側周壁と開口部の縁との間で、ベースの角部に対応する位置にそれぞれ配置され、円弧状壁部の内周側面に配置される平面視による円弧状のマグネットと、を備える。
【０００７】
本発明のレンズ駆動装置は、外周にコイルを配置し、レンズの光軸方向に移動するキャリアと、平面視による四角形状のベースと、ベースの内側に位置し、ベースの角部の位置に形成された平面視による複数の円弧状壁部、直線状の上辺、下辺及び両側辺を有する外側周壁に囲まれ平面視による円形状の開口部の縁を含み、外側周壁と開口部の縁が互いに間隔を開けて配置され、ベースの角部に位置する外側周壁と開口部の縁との間隔よりも、複数の円弧状壁部間に設けられた上辺、下辺及び両側辺に位置する外側周壁と開口部の縁との間隔が狭いヨークと、ヨークの外側周壁と開口部の縁との間で、ベースの角部に対応する位置にそれぞれ配置され、円弧状壁部の内周側面に配置される少なくとも平面視による底辺及び上辺、下辺、両側辺の隣り合う２辺に沿う両斜辺を含むマグネットと、を備える。
【０００８】
本発明のレンズ駆動装置は、外周にコイルを配置し、レンズの光軸方向に移動するキャリアと、平面視による四角形状のベースと、ベースの内側に位置し、直線状の上辺、下辺及び両側辺を有する外側周壁に囲まれキャリアが移動する平面視による円形状の開口部の縁を含み、外側周壁と開口部の縁が互いに間隔を開けて配置され、ベースの角部に位置する外側周壁と開口部の縁との間隔よりも、上辺、下辺及び両側辺の中央部に位置する外側周壁と開口部の縁との間隔が狭いヨークと、ヨークの外側周壁と開口部の縁との間で、ベースの角部に対応する位置にそれぞれ配置され、少なくとも平面視による底辺及び上辺、下辺、両側辺の隣り合う２辺に沿う両斜辺を含むマグネットと、を備える。
【０００９】
さらに、マグネットが対向する開口部の縁に平面視による円弧状の内側壁を設けることもできる場合がある。
【００１０】
なお、本発明は、ヨークの外側周壁にはベースに対する位置決めを行なう係合突部を設けることもできる。
【発明の効果】
【００１１】
本発明によれば、マグネットを内側周壁と外側周壁との間におけるベースの角部に対応する位置にそれぞれ配置し、ベース角部に位置する外側周壁と内側周壁との間隔よりもベース辺部に位置する外側周壁と内側周壁との間隔を狭くしているので、外側周壁をベースの辺部（四角形の一辺）と略同一位置になるようにヨークをベースに装着することにより、マグネットの厚み分だけ平面視におけるベースの外形寸法を小さくできレンズ駆動装置の小型化を図ることができる。
【００１２】
また、本発明によれば、ヨークの平坦状壁部とベースの辺部とが略一致するので、ヨークの外側周壁全体を円環状にする場合に比べてベースの角部におけるデッドスペースを小さくできる。
【００１３】
さらに、外側周壁の円弧状壁部の内周側にマグネットを配置して、平坦状壁部の内周側にはマグネットを配置しないので、例えばレンズ駆動装置に隣接して周辺機器を配置した場合に、円弧状壁部の内周側に設けたマグネットと周辺機器との距離を離すことができ、マグネットの磁界による周辺機器への影響を小さくできる。
【００１４】
さらにまた、外側周壁の角部に平面視略三角形状のマグネットを嵌合してあるので、三角形の頂点と頂点に対向する辺との間の距離を大きくでき、外形寸法を小さくしつつマグネットの磁束密度を大きくできる。
【００１５】
外側周壁の角部に平面視略三角形状のマグネットを嵌合しているので、マグネットを外側周壁の角部に嵌めるだけでマグネットの位置決めが簡単にできると共に、簡単な接着でマグネットの固定ができる。
【００１６】
外側周壁の角部に平面視略三角形状のマグネットを嵌合してあるので、三角形の頂点と頂点に対向する辺との間の距離を大きくでき、外形寸法を小さくしつつマグネットの磁束密度を大きくできる。
【００１７】
マグネットをベース辺部に配置しないですむので、ベース角部に位置する外側周壁と内側壁との間隔よりもベース辺部に位置する外側周壁と開口部の縁との間隔を狭くでき、ベースの外形寸法を小さくできレンズ駆動装置の小型化を図ることができる。
【００１８】
マグネットが対向する開口部の縁のみに円弧状の内側壁を設けてあり、マグネットを配置しない外側周壁が対向する開口部の縁には内側壁を設けていないので、内側壁を設けない部分だけヨークを削減でき、レンズ駆動装置の軽量化及び省コスト化を図ることができる。
【図面の簡単な説明】
【００１９】
【図１】第１実施の形態に係るレンズ駆動装置のヨークを抜き出して示す斜視図である。
【図２】図１に示すヨークの平面図である。
【図３】第１実施の形態に係るレンズ駆動装置の分解斜視図である。
【図４】第１実施の形態に係るレンズ駆動装置の全体を示す斜視図である。
【図５】図４に示すレンズ駆動装置のＣ−Ｃ断面図である。
【図６】第２実施の形態に係るレンズ駆動装置のヨークを抜き出して示す斜視図である。
【図７】図６に示すヨークの平面図である。
【図８】第３実施の形態に係るレンズ駆動装置のヨークを抜き出して示す斜視図である。
【図９】図８に示すヨークの平面図である。
【発明を実施するための形態】
【００２０】
以下に、添付図面を参照して、本発明の実施の形態を詳細に説明する。図１は第１実施の形態に係るレンズ駆動装置のヨークを抜き出して示す斜視図、図２は図１に示すヨークの平面図、図３は第１実施の形態に係るレンズ駆動装置の分解斜視図、図４はレンズ駆動装置の全体を示す斜視図、図５は図４に示すレンズ駆動装置のＣ−Ｃ断面図である。
第１実施形態に係るレンズ駆動装置１は、携帯電話のオートフォーカスレンズに組み込むものであり、略コ字状のヨーク３と、ヨーク３が装着されるベース５と、ベース５を支えるフレーム６と、ヨーク３の内周側に配置される円筒形状のキャリア７と、キャリア７の外周側に配置されるコイル１０と、キャリア７の光軸方向前側の位置に配置される前側スプリング９と、キャリア７の光軸方向後ろ側の位置に配置される後側スプリング１１とを備えている。
【００２１】
ベース５は平面視略四角形状であり、略平坦状の基底部５ａと基底部５ａの四角に立設して設けたベース側接続部５ｂとを備えている。基底部５ａには円形状の開口穴５ｃと、ヨーク３の外側周壁３ａに設けた係合突部３ｅが係合する被係合部５ｄとを備えている。フレーム６は平面視略四角形状であり、ベース５にはめ込まれている。ベース５の平面視における外形寸法は約１０ｍｍ×１０ｍｍである。
【００２２】
ヨーク３はベース５の内側に位置し且つ互いに間隔を開けて配置された外側周壁３ａと円環状の内側周壁３ｂとキャリア７が移動する平面視円形状の開口部４とを有し、外側周壁３ａは平面視略四角形状である。外側周壁３ａは平面視線状の平坦状壁部３ｃとベース５の角部に対応する位置にある略円弧状の円弧状壁部３ｄとを周方向に交互に備えている。外側周壁３ａの角位置にある円弧状壁部３ｄには内周側に沿って円弧状のマグネット１３を配置している。尚、ヨーク３の外側周壁３ａは内側周壁３ｂよりも厚みが大きくなっている。
【００２３】
外周周壁３ａの一方の側面には外周周壁３ａの外周面から外方に突出した係合突部３ｅが形成されており、係る係合突部３ｅがベース５側の被係合部５ｄに係合してヨーク３の位置決めが行なわれる。
図２において、ヨーク３の外側周壁３ａでは、４つの平坦状壁部３ｃが、平面視における直線状の上辺、下辺及び両側辺に対応している。
【００２４】
前方スプリング９は金属製のリング状の板バネであり、内周部９ａと外周部９ｂとで構成されている。内周部９ａは外周部９ｂに対して前後に付勢するようになっており、内周部９ａはキャリア７とカバー２４との間に挟持固定し、外周部９ｂはヨーク３とフレーム６との間に挟持固定されている。
【００２５】
後方スプリング１１は前方スプリング９と同様に金属製のリング状の板バネであり、内周部１１ａと外周部１１ｂとで構成されている。内周部１１ａは外周部１１ｂに対して前後方向に付勢するようになっており、内周部１１ａはキャリア７とベース５との間に挟持固定し、外周部１１ｂは後方スペーサ１７とベース５との間に挟持固定されている。
【００２６】
フレーム６の前面には金属製のカバー２４が取り付けてあり、フレーム６とキャリア７とに取り付けた前側スプリング９を覆い隠している。
【００２７】
カバー２４の前面には樹脂製のシール材２８が貼着されており、カバー２４の前面を覆うようにしている。
【００２８】
次に、本実施の形態に係るレンズ駆動装置の作用及び効果を説明する。レンズ駆動装置１の組み立ては、ベース５にヨーク３及びマグネット１３を取り付ける。その後、キャリア７にコイル１０及び後側スプリング１１を取り付けた後、キャリア７をベース５に組み付ける。そして、前側スプリング９をキャリア７に組み付け、フレーム６で蓋をする。
フレーム６の前面にカバー２４とシール材２８とを取り付け、キャリア７にレンズ体２０をねじ込んで固定し、レンズ駆動装置１の組み付けが終了する。
【００２９】
本実施の形態では、マグネット１３を外側周壁３ａと内側周壁３ｂとの間におけるベース５の角部に対応する位置にそれぞれ配置し、ベース角部に位置する外側周壁３ａと内側周壁３ｂとの間隔（図２及び図５に示すＢ）よりもベース辺部５ｅに位置する外側周壁３ａと内側周壁３ｂとの間隔（図２及び図５に示すＡ）を狭くしているので、外側周壁３ａをベース５の辺部（四角形の一辺）５ｅと略同一位置になるようにヨーク３をベース５に装着した場合には、マグネット１３の厚み分だけ平面視におけるベース５の外形寸法を小さくできる。よって、ヨーク３の平面視における外径寸法を小さくできレンズ駆動装置の小型化を図ることができる。
【００３０】
ヨーク３の平坦状壁部３ｃとベース５の辺部５ｅとが略一致するので、ヨーク３の外側周壁全体を円環状にする場合に比べて、ベース５の角部におけるデッドスペースを小さくできる。
【００３１】
外側周壁３ａの円弧状壁部３ｄの内周側にマグネット１３を配置して、平坦状壁部３ｃの内周側にはマグネット１３を配置しないので、例えばレンズ駆動装置１に隣接して周辺機器を配置した場合に、円弧状壁部３ｄの内周側に設けたマグネット１３と周辺機器との距離を離すことができ、マグネット１３の磁界による周辺機器（例えばスピーカ等のデバイス）への影響を小さくできる。
【００３２】
ヨーク３の外側周壁３ａには係合突部３ｅを設けてあるので、ヨーク３をベース５に組み付けるときには、係合突部３ｅをベース５側の被係合部５ｄにはめ込むだけでヨーク３の位置決めを容易に行なうことができる。
【００３３】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。図６は第２実施の形態に係るレンズ駆動装置のヨークを抜き出して示す斜視図、図７は図６に示すヨークの平面図である。
【００３４】
図６及び図７に示すように、ヨーク３の外側周壁３ａは平面視略四角形状であり、外側周壁３ａの角部に平面視略三角形状のマグネット１３を配置している。マグネット１３の内周面１３ａは略円弧状になっており、ヨーク３の内側周壁３ｂとマグネット１３の内周面１３ａとの間が等間隔になっている。
【００３５】
本実施の形態では、ヨーク３の外側周壁３ａの角部に平面視略三角形状のマグネット１３を嵌合して配置しているので、マグネット１３をヨーク３に組み付ける際に、マグネット１３を外側周壁３ａの角部に嵌めるだけでマグネット１３の位置決めができると共に、簡単な接着でマグネット１３の固定ができる。
【００３６】
外側周壁３ａの角部に平面視略三角形状のマグネット１３を嵌合してあるので、マグネット１３の三角形の頂点１３ｂと頂点１３ｂに対向する辺１３ａとの間の距離を大きくでき、マグネット１３の磁束密度を大きくできる。よって、キャリア７の駆動力を高めることができる。
尚、図７において、マグネット１３では、辺１３ａが平面視による底辺に対応し、頂点１３ｂを挟んで隣り合う２辺が斜辺に対応する。
【００３７】
次に図８及び図９を用いて第３実施の形態について説明する。図６は第２実施の形態に係るレンズ駆動装置のヨークを抜き出して示す斜視図、図７は図６に示すヨークの平面図である。
【００３８】
第３実施の形態では、外側周壁３ａの角部に平面視略三角形状のマグネット１３を嵌合してあると共に、マグネット１３が対向する開口部４の縁４ａにのみ平面視円弧状の内側壁３ｇを配置している。また、マグネット１３は外側周壁３ａに当接する三角形の一方の辺１３ｃが三角形の他方の辺１３ｄよりも長くなっており、隣り合う２つのマグネット１３の端部１３ｅ同士が互いに当接している。
【００３９】
マグネット１３をベース辺部に配置しないですむので、ベース角部に位置する外側周壁３ａと内側壁３ｇとの間隔（図９に示すＣ）よりもベース辺部に位置する外側周壁３ａと開口部４の縁４ａとの間隔（図９に示すＤ）を狭くでき、ベース５の外形寸法を小さくできレンズ駆動装置１の小型化を図ることができる。
【００４０】
本実施の形態では、マグネット１３が対向する開口部４の縁４ａのみに円弧状の内側壁３ｇを設けてあり、マグネット１３を配置しない外側周壁３ａが対向する開口部４の縁４ａには内側壁３ｇを設けていないので、内側壁３ｇを設けない部分だけヨーク３を削減でき、レンズ駆動装置１の軽量化及び省コスト化を図ることができる。
【００４１】
外側壁３ａの角部に設けたマグネット１３において、隣り合う２つのマグネット１３の端部１３ｅ同士が互いに当接してマグネット１３の横方向への動きが規制されるので、外側周壁３ａの角部に嵌め込んだマグネット１３を更に簡単な接着で固定できる。
【００４２】
尚、本発明は、前述した実施形態に限定されることなく、その要旨を逸脱しない範囲で種々変形して実施できることは言うまでもない。
【００４３】
上述の第１実施形態ではヨーク３の外側周壁３ａに１個のマグネット１３を配置しているが、これに限定されず、複数のマグネットを光軸方向に並べて設けても良い。
【００４４】
上述の第２実施形態では平面視略三角形状のマグネット１３をヨーク３の角部に配置しているが、これに限定されず、平面視略三角形状の支持部に平面視略円弧状のマグネット１３を貼り付けてあっても良い。
【００４５】
上述の第１実施形態及び第２実施の形態ではヨーク３の内側周壁３ａを円環状に設けているが、これに限定されず、マグネット１３が対向する開口部４の縁４ａのみに内側壁３ｇを形成しても良い。
【００４６】
レンズ駆動装置１は携帯電話に係るカメラに限らず、デジタルカメラに用いるものであっても良い。
【符号の説明】
【００４７】
１      レンズ駆動装置
３      ヨーク
３ａ    外側周壁
３ｃ    平担状壁部
３ｄ    円弧状壁部
３ｅ    係合突部
４      開口部
４ａ    縁
５      ベース
７      キャリア
１０    コイル
１３    マグネット
【図１】
2010191478.tif 000003
【図２】
2010191478.tif 000004
【図３】
2010191478.tif 000005
【図４】
2010191478.tif 000006
【図５】
2010191478.tif 000007
【図６】
2010191478.tif 000008
【図７】
2010191478.tif 000009
【図８】
2010191478.tif 000010
【図９】
2010191478.tif 000011